(57)【特許請求の範囲】
【請求項１】
プラグ検出機能を有するソケットコネクタであって、
複数の金属スプリングピンと、
前記複数の金属スプリングピンの一側に形成され、システム接地端に結合される第一検知ピンと、
前記複数の金属スプリングピンの他側に形成され、プルハイ抵抗器に結合されて高電位を有する第二検知ピンと、
を含み、
前記第二検知ピンは、前記第一検知ピンに伸びて前記第二検知ピンに形成された弾性金属アームを備え、電話線プラグを前記ソケットコネクタに挿入するとき、前記複数の金属スプリングピンのうち第一金属スプリングピンが下方に屈曲し、前記第二検知ピンの前記弾性金属アームを押さえつけて前記第一検知ピンと接触させ、
前記第一金属スプリングピンは、前記複数の金属スプリングピンのうち最外側のものである、
ことを特徴とするソケットコネクタ。
【請求項２】
前記第一金属スプリングピンは、前記ソケットコネクタの内部と下方へ屈曲する金属スプリングを含むことを特徴とする請求項１記載のソケットコネクタ。
【請求項３】
前記第二検知ピンの前記弾性金属アームが前記第一検知ピンと接触するとき、前記第二検知ピンの電位は前記第一検知ピンの電位と同一になることを特徴とする請求項１記載のソケットコネクタ。
【請求項４】
前記第二検知ピンは更にプラグ検知回路に結合され、該プラグ検知回路は前記第二検知ピンの電位変化により挿入プラグの形式を判別し、該挿入プラグの形式に応じて前記複数の金属スプリングピンをネットワーク信号処理モジュールか電話信号処理モジュールに結合し、
前記挿入プラグは、ＲＪ−４５型プラグとＲＪ−１１型プラグである、
ことを特徴とする請求項１記載のソケットコネクタ。
【請求項５】
前記第一検知ピンは前記ソケットコネクタの金属筐体であることを特徴とする請求項１記載のソケットコネクタ。
【請求項６】
前記ソケットコネクタはRJ-45型のネットワークケーブルソケットであることを特徴とする請求項１記載のソケットコネクタ。
【請求項７】
前記電話線プラグはRJ-11型のものであることを特徴とする請求項１記載のソケットコネクタ。
【発明の詳細な説明】
【技術分野】
【０００１】
本発明はプラグ検出機能を有するソケットコネクタに関し、特に検知ピンの電位変化により挿入されたプラグの形式を判別できるソケットコネクタに関する。
【背景技術】
【０００２】
現行のRJ-45型ネットワークケーブルソケットには十分なフールプルーフ（ポカよけ）機構が導入されておらず、それと形が似ている電話線のプラグ（RJ-11）は容易に挿入できる。もっとも、電話線とネットワークケーブルは信号が異なるので、電話線プラグを誤ってネットワークケーブルソケットに挿入すれば、ソケット後方の電子装置が損傷し、電話線が短絡して受話できないという故障が生じうる。
【０００３】
例えば図１を参照する。図１は従来の公衆電話交換網（ＰＳＴＮ）における電話機１１と局用交換機１２の間の回線を示す説明図である。電話を取っていない（オフフック）状態では、フックスイッチ１１２は開回路となり、局用交換機１２は直流動作バイアス電圧（すなわちチップ１３とリング１４の間の電圧。国によって異なるが基本的には36V〜60V）を電話機１１に提供する。着信があった場合、局用交換機１２は交流着信信号（40〜150VppAC）を直流動作バイアス電圧に重ね合わせて電話機１１の着信音を駆動する。電話線を誤ってネットワークケーブルソケットに挿入すれば、ソケット後方の電子装置（例えばノートパソコン）は直流バイアス電圧や交流着信信号などの高電圧に耐えられず損傷する可能性がある。図２を参照する。図２は従来のネットワークケーブルソケットに内蔵されたパルス変成器２０を示す。パルス変成器２０はネットワークケーブル信号を入出力する入力端RX0+〜RX3+、RX0-〜RX3-と出力端TX0+〜TX3+、TX0-〜TX3-を備え、電磁雑音の妨害を防ぎ、ネットワークケーブルソケットで受信する高周波差動信号の信頼性を向上させる。図２に示すように、電話線プラグを誤ってネットワークケーブルソケットに挿入すると、電話線のチップ２３とリング２４はそれぞれ入力端RX2+、RX2-に結合するようになる。入力端RX2+、RX2-はパルス変成器２０の内部で短絡するため、電話回線は図１に示すオフフック状態になって受話できなくなる。
【０００４】
また、ノートパソコンの薄型化に伴って、パソコン本体の入出力ポート設置空間は減少しつつある。電池、光ディスクドライブ、放熱口などを設けるための必需空間を考慮すれば、電話線ソケットとネットワークケーブルソケットを一つにしたほうが望ましい。
【発明の開示】
【発明が解決しようとする課題】
【０００５】
本発明は上記従来の問題を解決するため、プラグの形式を検出できるソケットコネクタを提供することを課題とする。
【課題を解決するための手段】
【０００６】
本発明はプラグ検出機能を有するソケットコネクタを提供する。該ソケットコネクタは、複数の金属スプリングピンと、上記複数の金属スプリングピンの一側に形成され、システム接地端に結合される第一検知ピンと、上記複数の金属スプリングピンの他側に形成され、プルハイ抵抗器に結合されて高電位を有する第二検知ピンとを含む。そのうち第二検知ピンは、第一検知ピンに伸びてその上方に形成された弾性金属アームを備える。電話線プラグをソケットコネクタに挿入するとき、上記複数の金属スプリングピンのうち第一金属スプリングピンが下方に屈曲し、第二検知ピンの弾性金属アームを押さえつけて第一検知ピンと接触させる。
【発明の効果】
【０００７】
本発明は検知ピンの電位変化により挿入プラグの形式を判別するうえ、プラグの形式に応じてネットワークケーブルの信号か電話線の信号を受信するように電子装置を制御する。そのため、電話線ソケットとネットワークケーブルソケットは一つの素子として統合することができ、設置空間を有効に節約できる。
【発明を実施するための最良の形態】
【０００８】
かかる装置の特徴を詳述するために、具体的な実施例を挙げ、図を参照にして以下に説明する。
【０００９】
図３を参照する。図３は本発明によるプラグ検出機能を有するソケットコネクタ３０の背面図である。ソケットコネクタ３０は筐体３１と、金属スプリングピンPin1〜Pin8と、検知ピンPinA、PinBを含む。金属スプリングピンPin1〜Pin8は筐体３１の中で並設され、信号を受信する。検知ピンPinAは金属スプリングピンPin1〜Pin8の一側に形成され、システム接地端GNDと結合されている。検知ピンPinBは金属スプリングピンPin1〜Pin8の他側に形成され、プルハイ（pull-high）抵抗器R1と結合されているため高電位を有する。検知ピンPinBは更に、検知ピンPinA方向へ伸びてその上方に形成された弾性金属アーム３２を含む。望ましくは、ソケットコネクタ３０はRJ-45型のネットワークケーブルソケットであり、金属スプリングピンPin1〜Pin8のうち最外側にある金属スプリングピンPin1は、内部と下へ屈曲する金属スプリング３３を備える。
【００１０】
図４を参照する。図４は図３に示す金属スプリングピンPin1〜Pin8と検知ピンPinA、PinBの背面図である。金属スプリングピンPin1〜Pin8はRJ-45型のソケットピンであって、ソケットコネクタ３０にRJ-45型のプラグを挿入するとネットワークケーブルの信号は金属スプリングピンPin1〜Pin8より受信される。これは当業者に周知のため、詳しい説明は省略される。それと比べて、電話線プラグは６本のピンを有し、ピン同士の間隔距離はRJ-45型と同様である。したがって、ソケットコネクタ３０にRJ-11型のプラグを挿入した場合、電話線プラグの筐体はソケットコネクタ３０の左右両端にある金属スプリングピンPin1、Pin8を圧迫するようになる。この場合、本発明では金属スプリングピンPin1で検知ピンPinBの弾性金属アーム３２を押さえつけて検知ピンPinAを接触させ、検知ピンPinBの電位変化により挿入プラグの形式を判別する。
【００１１】
例えば、図５と図６を参照する。図５と図６は本発明によるソケットコネクタ３０にネットワークケーブルプラグと電話線プラグを挿入した状態を表す説明図である。図５に示すように、ソケットコネクタ３０にRJ-45型のプラグを挿入するか、何のプラグも挿入しない場合では、検知ピンPinBと検知ピンPinAは接触せず、検知ピンPinBはプルハイ抵抗器R1の影響を受けて高電位のままである。また、図６に示すように、ソケットコネクタ３０にRJ-11型のプラグを挿入すると、ソケットコネクタ３０の左右両側にある金属スプリングピンPin1、Pin8は電話線プラグの筐体により押さえつけられ、検知ピンPinBの弾性金属アーム３２は検知ピンPinAと接触し、その電位は検知ピンPinAの電位（すなわちシステム接地端GNDの電位）と一致するようになる。
【００１２】
したがって、本発明は以上のように検知ピンPinBの電位変化により挿入プラグの形式を判別し、プラグの形式によって金属スプリングピンPin1〜Pin8から受信した信号をネットワーク信号処理モジュールか電話信号処理モジュール（図示せず）に結合する。そうなると、電話線ソケットとネットワークケーブルソケットは一つの素子として統合することができ、設置空間は有効に節約できる。
【００１３】
注意すべきは、上述は本発明の一実施例に過ぎず、当業者がなしうる変更はいずれも本発明の範囲に属する。例えば、検知ピンPinAに代わるものとしてソケットコネクタ３０の金属筐体を利用したり、金属スプリングピンPin8の下方への屈曲により検知ピンの電位を変更したりする変更は、いずれも本発明の範囲に属する。
【００１４】
以上は本発明に好ましい実施例であって、本発明の実施の範囲を限定するものではない。よって、当業者のなし得る修正、もしくは変更であって、本発明の精神の下においてなされ、本発明に対して均等の効果を有するものは、いずれも本発明の特許請求の範囲に属するものとする。
【産業上の利用可能性】
【００１５】
本発明は従来の構造を工夫したものであり、実施可能である。
【図面の簡単な説明】
【００１６】
【図１】従来の公衆電話交換網（ＰＳＴＮ）における電話機と局用交換機の間の回線を示す説明図である。
【図２】従来のネットワークケーブルソケットに内蔵されたパルス変成器を示す説明図である。
【図３】本発明によるプラグ検出機能を有するソケットコネクタの背面図である。
【図４】図３に示す金属スプリングピンと検知ピンの背面図である。
【図５】本発明によるソケットコネクタにネットワークケーブルプラグを挿入した状態を表す説明図である。
【図６】本発明によるソケットコネクタに電話線プラグを挿入した状態を表す説明図である。
【符号の説明】
【００１７】
１１          電話機
１２          局用交換機
１３、２３    チップ
１４、２４    リング
３０          ソケットコネクタ
３１          筐体
３２          弾性金属アーム
３３          金属スプリング
１１２        フックスイッチ
GND              システム接地端
Pin1〜Pin8      金属スプリングピン
PinA、PinB      検知ピン
R1              プルハイ抵抗器
RX0+〜RX3+、        入力端
RX0-〜RX3-
TX0+〜TX3+、        出力端
TX0-〜TX3-
【図１】
0004543091.tif 000002
【図２】
0004543091.tif 000003
【図３】
0004543091.tif 000004
【図４】
0004543091.tif 000005
【図５】
0004543091.tif 000006
【図６】
0004543091.tif 000007